【手続補正書】
【提出日】平成20年7月28日(2008.7.28)
【手続補正１】
【補正対象書類名】明細書
【補正対象項目名】特許請求の範囲
【補正方法】変更
【補正の内容】
【特許請求の範囲】
【請求項１】  光ディスクの信号記録層にビーム光を照射することによって上記信号記録層に対する信号の読取及び／又は記録を行う光学ピックアップ装置であって、
上記信号記録層にビーム光を照射する対物レンズと、
上記対物レンズを支持するレンズホルダと、
レンズホルダのディスク側端面、すなわち、光ディスクに対向する端面に形成されたコーティング層とを備え、
上記コーティング層は、上記光ディスクより柔らかく且つ滑り性が良好である材料で形成されると共に上記対物レンズより光ディスク側に突出し、
上記コーティング層はレンズホルダのディスク側端面のうち光ディスクの回転に対して対物レンズの上流側に位置する部分より光ディスク側に位置している
ことを特徴とする光学ピックアップ装置。
【請求項２】  上記コーティング層はレンズホルダのディスク側端面のうち光ディスクの回転に対して対物レンズの上流側及び下流側に位置する部分より光ディスク側に位置している
ことを特徴とする請求項１に記載の光学ピックアップ装置。
【請求項３】  上記コーティング層の主成分がフッ素系樹脂である
ことを特徴とする請求項１に記載の光学ピックアップ装置。
【請求項４】  上記コーティング層の主成分がフッ素系樹脂である
ことを特徴とする請求項１に記載の光学ピックアップ装置。
【請求項５】  上記コーティング層の主成分がフッ素系樹脂である
ことを特徴とする請求項２に記載の光学ピックアップ装置。
【請求項６】  直径約１２０ｍｍ、厚さ約１．２ｍｍでそのうち信号記録層を覆う保護層の厚さ約１００μｍの光ディスクに対する信号の読取及び／又は記録に使用され、フォーカスサーボがかかっている状態での対物レンズとディスク表面との間の間隔が約１５０μｍ、コーティング層とディスク表面との間の間隔が約１２０μｍである
ことを特徴とする請求項１に記載の光学ピックアップ装置。
【請求項７】  光ディスクの信号記録層にビーム光を照射することによって上記信号記録層に対する信号の読取及び／又は記録を行う光学ピックアップ装置であって、
上記信号記録層にビーム光を照射する対物レンズと、
上記対物レンズを支持するレンズホルダと、
上記対物レンズの周囲を囲むようにレンズホルダに設けられたレンズプロテクタと、
レンズプロテクタのディスク側端面、すなわち、光ディスクに対向する端面に形成されたコーティング層とを備え、
上記コーティング層は、上記光ディスクより柔らかく且つ滑り性が良好である材料で形成されると共に上記対物レンズより光ディスク側に突出し、
上記コーティング層はレンズプロテクタのディスク側端面のうち光ディスクの回転に対して対物レンズの上流側に位置する部分より光ディスク側に位置している
ことを特徴とする光学ピックアップ装置。
【請求項８】  光ディスクの信号記録層にビーム光を照射することによって上記信号記録層に対する信号の読取及び／又は記録を行う光学ピックアップ装置であって、
上記信号記録層にビーム光を照射する対物レンズと、
上記対物レンズを支持するレンズホルダとを備え、
上記レンズホルダのディスク側端面、すなわち、光ディスクに対向し対物レンズの周囲に位置する端面を対物レンズより光ディスクに近付けて配置して、レンズホルダと光ディスクとが接近したときに対物レンズと光ディスクとの衝突を回避する対物レンズ保護面を形成し、
上記レンズホルダのディスク側端面のうち、少なくとも光ディスクの回転に対して対物レンズの上流側に位置する所定の幅を有する部分には、対物レンズ保護面を形成しないようにした
ことを特徴とする光学ピックアップ装置。
【請求項９】  上記対物レンズ保護面には、上記光ディスクより柔らかく且つ滑り性が良好である材料から成るコーティング層が形成された
ことを特徴とする請求項８に記載の光学ピックアップ装置。
【請求項１０】  上記レンズホルダのディスク側端面のうち、光ディスクの回転に対して対物レンズの下流側に位置する所定の幅を有する部分には、対物レンズ保護面を形成しないようにした
ことを特徴とする請求項９に記載の光学ピックアップ装置。
【請求項１１】  光ディスクを回転させるディスク回転装置と回転している上記光ディスクの信号記録層にビーム光を照射することによって上記信号記録層に対する信号の読取及び／又は記録を行う光学ピックアップ装置とを備えたディスクドライブ装置であって、
上記光学ピックアップ装置は、上記信号記録層にビーム光を照射する対物レンズと、上記対物レンズを支持するレンズホルダと、レンズホルダのディスク側端面、すなわち、光ディスクに対向する端面に形成されたコーティング層とを備え、
上記コーティング層は、上記光ディスクより柔らかく且つ滑り性が良好である材料で形成されると共に上記対物レンズより光ディスク側に突出し、
上記コーティング層はレンズホルダのディスク側端面のうち光ディスクの回転に対して対物レンズの上流側に位置する部分より光ディスク側に位置している
ことを特徴とするディスクドライブ装置。
【請求項１２】  光ディスクを回転させるディスク回転装置と回転している上記光ディスクの信号記録層にビーム光を照射することによって上記信号記録層に対する信号の読取及び／又は記録を行う光学ピックアップ装置とを備えたディスクドライブ装置であって、
上記光学ピックアップ装置は、上記信号記録層にビーム光を照射する対物レンズと、上記対物レンズを支持するレンズホルダと、上記対物レンズの周囲を囲むようにレンズホルダに設けられたレンズプロテクタと、レンズプロテクタのディスク側端面、すなわち、光ディスクに対向する端面に形成されたコーティング層とを備え、
上記コーティング層は、上記光ディスクより柔らかく且つ滑り性が良好である材料で形成されると共に上記対物レンズより光ディスク側に突出し、
上記コーティング層はレンズプロテクタのディスク側端面のうち光ディスクの回転に対して対物レンズの上流側に位置する部分より光ディスク側に位置している
ことを特徴とするディスクドライブ装置。
【請求項１３】  光ディスクを回転させるディスク回転装置と回転している上記光ディスクの信号記録層にビーム光を照射することによって上記信号記録層に対する信号の読取及び／又は記録を行う光学ピックアップ装置とを備えたディスクドライブ装置であって、
上記光学ピックアップ装置は、上記信号記録層にビーム光を照射する対物レンズと、上記対物レンズを支持するレンズホルダとを備え、
上記レンズホルダのディスク側端面、すなわち、光ディスクに対向し対物レンズの周囲に位置する端面を対物レンズより光ディスクに近付けて配置して、レンズホルダと光ディスクとが接近したときに対物レンズと光ディスクとの衝突を回避する対物レンズ保護面を形成し、
上記レンズホルダのディスク側端面のうち、少なくとも光ディスクの回転に対して対物レンズの上流側に位置する所定の幅を有する部分には、対物レンズ保護面を形成しないようにした
ことを特徴とするディスクドライブ装置。
【手続補正２】
【補正対象書類名】明細書
【補正対象項目名】０００９
【補正方法】変更
【補正の内容】
【０００９】
【課題を解決するための手段】
本発明光学ピックアップ装置は、上記した課題を解決するために、光ディスクの信号記録層にビーム光を照射する対物レンズと、上記対物レンズを支持するレンズホルダと、レンズホルダのディスク側端面、すなわち、光ディスクに対向する端面に形成されたコーティング層とを備え、上記コーティング層は、上記光ディスクより柔らかく且つ滑り性が良好である材料で形成されると共に上記対物レンズより光ディスク側に突出し、上記コーティング層はレンズホルダのディスク側端面のうち光ディスクの回転に対して対物レンズの上流側に位置する部分より光ディスク側に位置しているものである。
【手続補正３】
【補正対象書類名】明細書
【補正対象項目名】００１２
【補正方法】変更
【補正の内容】
【００１２】
別の本発明光学ピックアップ装置は、上記した課題を解決するために、光ディスクの信号記録層にビーム光を照射する対物レンズと、上記対物レンズを支持するレンズホルダと、上記対物レンズの周囲を囲むようにレンズホルダに設けられたレンズプロテクタと、レンズプロテクタのディスク側端面、すなわち、光ディスクに対向する端面に形成されたコーティング層とを備え、上記コーティング層は、上記光ディスクより柔らかく且つ滑り性が良好である材料で形成されると共に上記対物レンズより光ディスク側に突出し、上記コーティング層はレンズプロテクタのディスク側端面のうち光ディスクの回転に対して対物レンズの上流側に位置する部分より光ディスク側に位置しているものである。
【手続補正４】
【補正対象書類名】明細書
【補正対象項目名】００１８
【補正方法】変更
【補正の内容】
【００１８】
本発明ディスクドライブ装置は、上記した課題を解決するために、ディスク回転装置によって回転されている光ディスクの信号記録層にビーム光を照射することによって上記信号記録層に対する信号の読取及び／又は記録を行う光学ピックアップ装置を備え、該光学ピックアップ装置は、上記信号記録層にビーム光を照射する対物レンズと、上記対物レンズを支持するレンズホルダと、レンズホルダのディスク側端面、すなわち、光ディスクに対向する端面に形成されたコーティング層とを備え、上記コーティング層は、上記光ディスクより柔らかく且つ滑り性が良好である材料で形成されると共に上記対物レンズより光ディスク側に突出し、上記コーティング層はレンズホルダのディスク側端面のうち光ディスクの回転に対して対物レンズの上流側に位置する部分より光ディスク側に位置しているものである。
【手続補正５】
【補正対象書類名】明細書
【補正対象項目名】００２１
【補正方法】変更
【補正の内容】
【００２１】
また、別の本発明ディスクドライブ装置は、上記した課題を解決するために、ディスク回転装置によって回転されている光ディスクの信号記録層にビーム光を照射することによって上記信号記録層に対する信号の読取及び／又は記録を行う光学ピックアップ装置を備え、該光学ピックアップ装置は、上記信号記録層にビーム光を照射する対物レンズと、上記対物レンズを支持するレンズホルダと、上記対物レンズの周囲を囲むようにレンズホルダに設けられたレンズプロテクタと、レンズプロテクタのディスク側端面、すなわち、光ディスクに対向する端面に形成されたコーティング層とを備え、上記コーティング層は、上記光ディスクより柔らかく且つ滑り性が良好である材料で形成されると共に上記対物レンズより光ディスク側に突出し、上記コーティング層はレンズプロテクタのディスク側端面のうち光ディスクの回転に対して対物レンズの上流側に位置する部分より光ディスク側に位置しているものである。
【手続補正６】
【補正対象書類名】明細書
【補正対象項目名】０１０４
【補正方法】変更
【補正の内容】
【０１０４】
【発明の効果】
以上に記載したところから明らかなように、本発明光学ピックアップ装置は、光ディスクの信号記録層にビーム光を照射することによって上記信号記録層に対する信号の読取及び／又は記録を行う光学ピックアップ装置であって、上記信号記録層にビーム光を照射する対物レンズと、上記対物レンズを支持するレンズホルダと、レンズホルダのディスク側端面、すなわち、光ディスクに対向する端面に形成されたコーティング層とを備え、上記コーティング層は、上記光ディスクより柔らかく且つ滑り性が良好である材料で形成されると共に上記対物レンズより光ディスク側に突出し、上記コーティング層はレンズホルダのディスク側端面のうち光ディスクの回転に対して対物レンズの上流側に位置する部分より光ディスク側に位置していることを特徴とする。
【手続補正７】
【補正対象書類名】明細書
【補正対象項目名】０１０６
【補正方法】変更
【補正の内容】
【０１０６】
また、光ディスクはコーティング層と接触するが、該コーティング層は光ディスクより柔らかく且つ滑り性が良好である材料で形成されているので、光ディスクの損傷は軽微なもので済む。また、上記コーティング層はレンズホルダのディスク側端面のうち光ディスクの回転に対して対物レンズの上流側に位置する部分より光ディスク側に位置しているので、レンズホルダのディスク側端面に付着していたゴミ等が光ディスクとの衝突によって対物レンズに付着してしまうことを回避することが出来る。
【手続補正８】
【補正対象書類名】明細書
【補正対象項目名】０１０７
【補正方法】削除
【補正の内容】
【手続補正９】
【補正対象書類名】明細書
【補正対象項目名】０１０８
【補正方法】変更
【補正の内容】
【０１０８】
請求項２に記載された発明にあっては、上記コーティング層はレンズホルダのディスク側端面のうち光ディスクの回転に対して対物レンズの上流側及び下流側に位置する部分より光ディスク側に位置しているので、レンズホルダのディスク側端面に付着していたゴミ等が光ディスクとの衝突によって対物レンズに付着してしまうことを回避することが出来ると共に、コーティング層の形成が容易になり、且つ、コーティング層を形成する材料の使用量が少なくて済む。
【手続補正１０】
【補正対象書類名】明細書
【補正対象項目名】０１０９
【補正方法】変更
【補正の内容】
【０１０９】
請求項３乃至請求項５に記載された発明にあっては、上記コーティング層の主成分がフッ素系樹脂であるので、衝突によって光ディスクに与える損傷を極めて少なくすることが出来る。
【手続補正１１】
【補正対象書類名】明細書
【補正対象項目名】０１１０
【補正方法】変更
【補正の内容】
【０１１０】
請求項６に記載された発明にあっては、直径約１２０ｍｍ、厚さ約１．２ｍｍでそのうち信号記録層を覆う保護層の厚さ約１００μｍの光ディスクに対する信号の読取及び／又は記録に使用され、フォーカスサーボがかかっている状態での対物レンズとディスク表面との間の間隔が約１５０μｍ、コーティング層とディスク表面との間の間隔が約１２０μｍであるので、信号の高密度の読取及び／又は記録が可能であり、高密度化に伴うワークスペースの狭小化による光ディスクとレンズホルダとの衝突の危険性の増大にもか拘わらず、光ディスクの損傷を少なく抑えることが出来る。
【手続補正１２】
【補正対象書類名】明細書
【補正対象項目名】０１１１
【補正方法】変更
【補正の内容】
【０１１１】
上記したところから明らかなように、別の本発明光学ピックアップ装置は、光ディスクの信号記録層にビーム光を照射することによって上記信号記録層に対する信号の読取及び／又は記録を行う光学ピックアップ装置であって、上記信号記録層にビーム光を照射する対物レンズと、上記対物レンズを支持するレンズホルダと、上記対物レンズの周囲を囲むようにレンズホルダに設けられたレンズプロテクタと、レンズプロテクタのディスク側端面、すなわち、光ディスクに対向する端面に形成されたコーティング層とを備え、上記コーティング層は、上記光ディスクより柔らかく且つ滑り性が良好である材料で形成されると共に上記対物レンズより光ディスク側に突出し、上記コーティング層はレンズプロテクタのディスク側端面のうち光ディスクの回転に対して対物レンズの上流側に位置する部分より光ディスク側に位置していることを特徴とする。
【手続補正１３】
【補正対象書類名】明細書
【補正対象項目名】０１１３
【補正方法】変更
【補正の内容】
【０１１３】
また、光ディスクはコーティング層と接触するが、該コーティング層は光ディスクより柔らかく且つ滑り性が良好である材料で形成されているので、光ディスクの損傷は軽微なもので済む。また、上記コーティング層はレンズプロテクタのディスク側端面のうち光ディスクの回転に対して対物レンズの上流側に位置する部分より光ディスク側に位置しているので、レンズプロテクタのディスク側端面に付着していたゴミ等が光ディスクとの衝突によって対物レンズに付着してしまうことを回避することが出来る。
【手続補正１４】
【補正対象書類名】明細書
【補正対象項目名】０１１４
【補正方法】削除
【補正の内容】
【手続補正１５】
【補正対象書類名】明細書
【補正対象項目名】０１１５
【補正方法】削除
【補正の内容】
【手続補正１６】
【補正対象書類名】明細書
【補正対象項目名】０１１６
【補正方法】削除
【補正の内容】
【手続補正１７】
【補正対象書類名】明細書
【補正対象項目名】０１２０
【補正方法】変更
【補正の内容】
【０１２０】
請求項９に記載された発明にあっては、上記対物レンズ保護面に、上記光ディスクより柔らかく且つ滑り性が良好である材料から成るコーティング層を形成したので、光ディスクの損傷は軽微なもので済む。
【手続補正１８】
【補正対象書類名】明細書
【補正対象項目名】０１２１
【補正方法】変更
【補正の内容】
【０１２１】
請求項１０に記載された発明にあっては、上記レンズホルダのディスク側端面のうち、光ディスクの回転に対して対物レンズの下流側に位置する所定の幅を有する部分には、対物レンズ保護面を形成しないようにしたので、コーティング層の形成が容易になり、且つ、コーティング層を形成する材料の使用量が少なくて済む。
【手続補正１９】
【補正対象書類名】明細書
【補正対象項目名】０１２２
【補正方法】変更
【補正の内容】
【０１２２】
上記したところから明らかなように、本発明ディスクドライブ装置は、光ディスクを回転させるディスク回転装置と回転している上記光ディスクの信号記録層にビーム光を照射することによって上記信号記録層に対する信号の読取及び／又は記録を行う光学ピックアップ装置とを備えたディスクドライブ装置であって、上記光学ピックアップ装置は、上記信号記録層にビーム光を照射する対物レンズと、上記対物レンズを支持するレンズホルダと、レンズホルダのディスク側端面、すなわち、光ディスクに対向する端面に形成されたコーティング層とを備え、上記コーティング層は、上記光ディスクより柔らかく且つ滑り性が良好である材料で形成されると共に上記対物レンズより光ディスク側に突出し、上記コーティング層はレンズホルダのディスク側端面のうち光ディスクの回転に対して対物レンズの上流側に位置する部分より光ディスク側に位置していることを特徴とする。
【手続補正２０】
【補正対象書類名】明細書
【補正対象項目名】０１２４
【補正方法】変更
【補正の内容】
【０１２４】
また、光ディスクはコーティング層と接触するが、該コーティング層は光ディスクより柔らかく且つ滑り性が良好である材料で形成されているので、光ディスクの損傷は軽微なもので済む。また、上記コーティング層はレンズホルダのディスク側端面のうち光ディスクの回転に対して対物レンズの上流側に位置する部分より光ディスク側に位置しているので、レンズホルダのディスク側端面に付着していたゴミ等が光ディスクとの衝突によって対物レンズに付着してしまうことを回避することが出来る。
【手続補正２１】
【補正対象書類名】明細書
【補正対象項目名】０１２５
【補正方法】削除
【補正の内容】
【手続補正２２】
【補正対象書類名】明細書
【補正対象項目名】０１２６
【補正方法】削除
【補正の内容】
【手続補正２３】
【補正対象書類名】明細書
【補正対象項目名】０１２７
【補正方法】削除
【補正の内容】
【手続補正２４】
【補正対象書類名】明細書
【補正対象項目名】０１２８
【補正方法】削除
【補正の内容】
【手続補正２５】
【補正対象書類名】明細書
【補正対象項目名】０１２９
【補正方法】変更
【補正の内容】
【０１２９】
以上に記載したところから明らかなように、別の本発明ディスクドライブ装置は、光ディスクを回転させるディスク回転装置と回転している上記光ディスクの信号記録層にビーム光を照射することによって上記信号記録層に対する信号の読取及び／又は記録を行う光学ピックアップ装置とを備えたディスクドライブ装置であって、上記光学ピックアップ装置は、上記信号記録層にビーム光を照射する対物レンズと、上記対物レンズを支持するレンズホルダと、上記対物レンズの周囲を囲むようにレンズホルダに設けられたレンズプロテクタと、レンズプロテクタのディスク側端面、すなわち、光ディスクに対向する端面に形成されたコーティング層とを備え、上記コーティング層は、上記光ディスクより柔らかく且つ滑り性が良好である材料で形成されると共に上記対物レンズより光ディスク側に突出し、上記コーティング層はレンズプロテクタのディスク側端面のうち光ディスクの回転に対して対物レンズの上流側に位置する部分より光ディスク側に位置していることを特徴とする。
【手続補正２６】
【補正対象書類名】明細書
【補正対象項目名】０１３１
【補正方法】変更
【補正の内容】
【０１３１】
また、光ディスクはコーティング層と接触するが、該コーティング層は光ディスクより柔らかく且つ滑り性が良好である材料で形成されているので、光ディスクの損傷は軽微なもので済む。また、上記コーティング層はレンズプロテクタのディスク側端面のうち光ディスクの回転に対して対物レンズの上流側に位置する部分より光ディスク側に位置しているので、レンズプロテクタのディスク側端面に付着していたゴミ等が光ディスクとの衝突によって対物レンズに付着してしまうことを回避することが出来る。
【手続補正２７】
【補正対象書類名】明細書
【補正対象項目名】０１３２
【補正方法】削除
【補正の内容】
【手続補正２８】
【補正対象書類名】明細書
【補正対象項目名】０１３３
【補正方法】削除
【補正の内容】
【手続補正２９】
【補正対象書類名】明細書
【補正対象項目名】０１３４
【補正方法】削除
【補正の内容】
【手続補正３０】
【補正対象書類名】明細書
【補正対象項目名】０１３８
【補正方法】削除
【補正の内容】
【手続補正３１】
【補正対象書類名】明細書
【補正対象項目名】０１３９
【補正方法】削除
【補正の内容】